(57)【要約】【課題】高密度にＬＤを配置した光モジュールに実装し、クロストークの少ないレンズ部品を提供する。【解決手段】アレイ状に配置された複数の光源３１に対応して配置されたマイクロレンズ１１からなり、各光源３１から出射された光をそれぞれコリメートした後集光させて他の光伝送部品３３に結合させるレンズ部品１０において、マイクロレンズ１１間に他の光源から入射する光を遮断する光遮蔽板１８を設けた。【選択図】図１
2007298886.tif 000002
【特許請求の範囲】
【請求項１】
アレイ状に配置された複数の光源に対応して配置されたマイクロレンズからなり、各光源から出射された光をそれぞれ集光させて他の光伝送部品に結合させるレンズ部品において、
上記マイクロレンズ間に他の光源から入射する光を遮断する光遮蔽板を設けたことを特徴とするレンズ部品。
【請求項２】
上記マイクロレンズを形成する材料と同じ材料で略直方体状のレンズブロックを形成し、そのレンズブロックの互いに対向する面に凸レンズ部をそれぞれ形成して、それら凸レンズ部と、凸レンズ部間に位置するレンズブロックからなるレンズ胴体部とで上記マイクロレンズを構成する請求項１記載のレンズ部品。
【請求項３】
上記レンズブロックの光源側の面の上下には、互いに隣接する凸レンズ間に上記光遮蔽板を支持する支持溝が形成され、その支持溝に上記光遮蔽板の上下を嵌合し、隣接する凸レンズ部間に光遮蔽板を支持する請求項２記載のレンズ部品。
【請求項４】
互いに隣接するマイクロレンズは一部重なり合って形成され、上記光遮蔽板の内側は、互いに隣接する凸レンズ部が重なり合って形成される境界に当接する輪郭に形成される請求項３記載のレンズ部品。
【請求項５】
細長の板材を略直角に折り曲げ、一方を上記光遮蔽板に形成し、他方を上記光遮蔽板をレンズブロックに固定するための固定部に形成し、その固定部には上記光遮蔽板を位置決めして嵌合用穴が形成され、他方、上記嵌合用穴に嵌合する嵌合用突起が上記レンズブロック形成される請求項３または４に記載のレンズ部品。
【請求項６】
それぞれ互いに隣接するマイクロレンズの凸レンズ部間を通る複数の光遮蔽板は、断面矩形波状に連結されて一体の光遮蔽アセンブリを構成する請求項２記載のレンズ部品。
【請求項７】
上記光遮蔽アセンブリの両端には、上記複数の光遮蔽板と位置決めして嵌合用穴が形成され、上記レンズブロックの両側には、上記嵌合用穴に嵌合する嵌合用突起が形成される請求項６記載のレンズ部品。
【請求項８】
上記光遮蔽板には、光吸収剤が塗布されている請求項１〜７いずれかに記載のレンズ部品。
【請求項９】
アレイ状に配置された複数の光源に対応して配置されたマイクロレンズからなり、各光源から出射された光をそれぞれ集光させて他の光伝送部品に結合させるレンズ部品において、
上記マイクロレンズを形成する材料と同じ材料で略直方体状のレンズブロックを形成し、そのレンズブロックの互いに対向する面に凸レンズ部をそれぞれ形成して、それら凸レンズ部と、凸レンズ部間に位置するレンズブロックとからなるレンズ胴体部とで上記マイクロレンズを構成し、各マイクロレンズに入射させる光源出射光を縮径する絞り穴を板材に形成してなる光遮蔽板を、マイクロレンズと光源との間に位置させてレンズブロックに固定したことを特徴とするレンズ部品。
【請求項１０】
請求項１〜９いずれかに記載のレンズ部品を用いたことを特徴とする光モジュール。
【発明の詳細な説明】
【技術分野】
【０００１】
本発明は、複数の光信号を送受信するための光モジュールに用いられ、複数の光信号を集光するレンズ部品とそれを用いた光モジュールに関するものである。
【背景技術】
【０００２】
光ファイバ等を用いた光通信システムの末端では、電気信号から変換された光信号を光ファイバ等の光伝送路に発信する光モジュールや、光伝送から光信号を受信する光モジュールが用いられている。特に、複数の光信号を発信或いは受信するべくＰＤ（フォトダイオード）アレイやＬＤ（レーザダイオード）アレイを実装した光モジュールが用いられている。
【０００３】
図１４は、ＬＤアレイから出射した光信号をそれぞれ光ファイバに結合させる光モジュールの概略図である。
【０００４】
図１４に示すように、光モジュール８０はＬＤアレイ８１と、ＬＤアレイ８１に対向して配置されるレンズアレイ（レンズ部品）８２とを備える。ＬＤアレイ８１は、アレイ状に配置された複数のＬＤ８３（光源）を有し、レンズアレイ８２は、各ＬＤ８３からの出射光をそれぞれコリメート、集光させる複数のマイクロレンズ８４を有する。
【０００５】
光モジュール８０には、ＬＤ８３を出射した光を伝送させる光ファイバ（光ファイバコネクタ）８５が接続される。各ＬＤ８３から出射した光信号は、それぞれマイクロレンズ８４のＬＤ側の凸部８４ａでコリメートされ、そのコリメートされた光がファイバ側の凸部８４ｂで光ファイバ８５の端面に集光されて各光ファイバ８５に結合される。光モジュール８０では、各ＬＤ８３とそれに対応する光ファイバ８５毎に一つずつマイクロレンズ８４を設けることにより、ＬＤ８３からの光信号を各チャネル毎に（個々に）光ファイバ８５に結合させている。
【０００６】
なお、本発明に係るレンズ部品の先行技術文献情報としては、次のものがある。
【０００７】
【特許文献１】特開２００５−３１５５６号公報
【特許文献２】特開２００５−２９２７３９号公報
【発明の開示】
【発明が解決しようとする課題】
【０００８】
近年、通信容量の増大により、光ファイバ等の通信媒体が高密度で配置され、それに伴い、光モジュール８０では、複数のＬＤ８３も高密度（挟ピッチ）で配置される。高密度にＬＤ８３を配置した光モジュール８０では、ＬＤ８３に合わせてマイクロレンズ８４も高密度に配置される。
【０００９】
しかしながら、例えば、これら複数のマイクロレンズ８４のレンズ間隔（レンズ径）は、約０．２５ｍｍと非常に狭い。したがって、所定の拡がり角を有して出射するＬＤ出射光は、隣りのチャネルのマイクロレンズ８４にも漏れて入射してしまう。入射すべきでない光信号が隣りのマイクロレンズ８４に入射すると、光信号の干渉や、異なる光ファイバに誤って入射するといったことが起きる。
【００１０】
すなわち、複数のマイクロレンズ８４が微小間隔で並列に配置されてなるレンズ部品を有する光モジュールでは、光信号のクロストーク（漏れ光）が大きくなってしまうという問題点があった。
【００１１】
また、ＬＤ８３とマイクロレンズ８４間の距離を縮め、ＬＤ出射光がレンズ径以上に拡径する前にマイクロレンズ８４に入射する構造にして、クロストークを低減させることも考えられるが、光モジュールの構造上困難である場合が多い。
【００１２】
そこで、本発明の目的は、上記課題を解決し、高密度にＬＤを配置した光モジュールに用いられ、クロストークの少ないレンズ部品及びそれを用いた光モジュールを提供することにある。
【課題を解決するための手段】
【００１３】
上記目的を達成するために、請求項１の発明は、アレイ状に配置された複数の光源に対応して配置されたマイクロレンズからなり、各光源から出射された光をそれぞれ集光させて他の光伝送部品に結合させるレンズ部品において、マイクロレンズ間に他の光源から入射する光を遮断する光遮蔽板を設けたレンズ部品である。
【００１４】
請求項２の発明は、マイクロレンズを形成する材料と同じ材料で略直方体状のレンズブロックを形成し、そのレンズブロックの互いに対向する面に凸レンズ部をそれぞれ形成して、それら凸レンズ部と、凸レンズ部間に位置するレンズブロックからなるレンズ胴体部とでマイクロレンズを構成する請求項１記載のレンズ部品である。
【００１５】
請求項３の発明は、レンズブロックの光源側の面の上下には、互いに隣接する凸レンズ間に光遮蔽板を支持する支持溝が形成され、その支持溝に光遮蔽板の上下を嵌合し、隣接する凸レンズ部間に光遮蔽板を支持する請求項２記載のレンズ部品である。
【００１６】
請求項４の発明は、互いに隣接するマイクロレンズは一部重なり合って形成され、光遮蔽板の内側は、互いに隣接する凸レンズ部が重なり合って形成される境界に当接する輪郭に形成される請求項３記載のレンズ部品である。
【００１７】
請求項５の発明は、細長の板材を略直角に折り曲げ、一方を光遮蔽板に形成し、他方を光遮蔽板をレンズブロックに固定するための固定部に形成し、その固定部には光遮蔽板を位置決めして嵌合用穴が形成され、他方、嵌合用穴に嵌合する嵌合用突起がレンズブロック形成される請求項３または４に記載のレンズ部品である。
【００１８】
請求項６の発明は、それぞれ互いに隣接するマイクロレンズの凸レンズ部間を通る複数の光遮蔽板は、断面矩形波状に連結されて一体の光遮蔽アセンブリを構成する請求項２記載のレンズ部品である。
【００１９】
請求項７の発明は、光遮蔽アセンブリの両端には、複数の光遮蔽板と位置決めして嵌合用穴が形成され、レンズブロックの両側には、嵌合用穴に嵌合する嵌合用突起が形成される請求項６記載のレンズ部品である。
【００２０】
請求項８の発明は、光遮蔽板には、光吸収剤が塗布されている請求項１〜７いずれかに記載のレンズ部品である。
【００２１】
請求項９の発明は、アレイ状に配置された複数の光源に対応して配置されたマイクロレンズからなり、各光源から出射された光をそれぞれ集光させて他の光伝送部品に結合させるレンズ部品において、マイクロレンズを形成する材料と同じ材料で略直方体状のレンズブロックを形成し、そのレンズブロックの互いに対向する面に凸レンズ部をそれぞれ形成して、それら凸レンズ部と、凸レンズ部間に位置するレンズブロックとからなるレンズ胴体部とでマイクロレンズを構成し、各マイクロレンズに入射させる光源出射光を縮径する絞り穴を板材に形成してなる光遮蔽板を、マイクロレンズと光源との間に位置させてレンズブロックに固定したレンズ部品である。
【００２２】
請求項１０の発明は、請求項１〜９いずれかに記載のレンズ部品を用いた光モジュールである。
【発明の効果】
【００２３】
本発明によれば、光源を高密度に配置した光モジュールに適用しても、クロストークを小さくすることができるという優れた効果を発揮する。
【発明を実施するための最良の形態】
【００２４】
以下、本発明の好適な一実施形態を添付図面に基づいて詳述する。
【００２５】
図１、図２は本発明に係る光モジュールの好適な第１の実施の形態を示す図であり、図１は前方斜視図、図２は後方斜視図である。
【００２６】
まず、本実施の形態のレンズ部品は、光信号の送受信を行う光トランシーバ等の光モジュールに実装されるレンズ部品であり、光モジュールが備える光源に対応して配置される。
【００２７】
図１、図２に示すように、本実施の形態のレンズ部品１０は、アレイ状（並列）に配置される２つのマイクロレンズ１１と、マイクロレンズ１１を収容し、マイクロレンズ１１と一体に形成されるレンズブロック１２とを備える。
【００２８】
レンズブロック１２は、マイクロレンズ１１を形成する材料と同じ材料で略直方体状に形成される。本実施の形態では、マイクロレンズ１１とレンズブロック１２は樹脂で形成される。
【００２９】
マイクロレンズ１１は、レンズブロック１２の互いに対向する面１３ａ，１３ｂに、それぞれ２つずつ凸レンズ部（モールドレンズ）１４ａと１４ｂ，１５ａと１５ｂを連ねて形成し、それら凸レンズ部１４ａ，１５ａ間と凸レンズ部１４ｂ，１５ｂ間にレンズ材からなるレンズ胴体部２７（２７は図６参照）を形成してなる。
【００３０】
本実施の形態では、凸レンズ部１４ａ，１４ｂ及び１５ａ，１５ｂは、レンズブロック１２の互いに対向する面１３ａ，１３ｂより内側に形成される。すなわち、レンズブロック１２の互いに対向する面１３ａ，１３ｂ間を貫通する穴１６内にマイクロレンズ１１が収まる構造とした。本実施の形態では、マイクロレンズ１１のレンズ径（レンズの中心間距離）は約０．２５ｍｍとした。
【００３１】
ここで、レンズ部品１０において、図１の紙面手前側（見える側）の凸レンズ部１４ａ，１４ｂは、光源側に対向して配置され、図２の紙面手前側の凸レンズ部１５ａ，１５ｂは、光ファイバ等の光伝送部品側に対向して配置される。
【００３２】
レンズブロック１２の光伝送部品側の面１３ｂには、光ファイバが接続される光コネクタ等にレンズブロック１２を位置決め固定するためのコネクタ側嵌合用突起１７が形成される。
【００３３】
さて、本実施の形態のレンズ部品１０は、２つのマイクロレンズ１１間に他の光源から入射する光を遮断する光遮蔽板１８を設けたことに特徴を有する。
【００３４】
図３に示すように、光遮蔽板１８をマイクロレンズ１１間に設けるに際して、レンズブロック１２の光源側の面１３ａの上下には、光遮蔽板１８を隣接する凸レンズ部１４ａ，１４ｂ間に支持するための支持溝２１，２２が形成される。
【００３５】
上側の支持溝２１は、レンズブロック１２の光源側の面１３ａの上側に、穴１６とレンズブロック上面１３ｃとを貫通するように切り欠いた形状である。下側の支持溝２２は、レンズブロック１２の穴１６の底面に、レンズブロック１２の光源側の面１３から奥（内側）に切り欠いた形状である。
【００３６】
レンズブロック１２の上面１３ｃには、光遮蔽板１８を位置決め固定するための嵌合用突起２３が形成される。これらマイクロレンズ１１及びレンズブロック１２は金型を用いて一体に形成される。
【００３７】
図４に示すように、光遮蔽部２０は、光遮蔽板１８と、光遮蔽板１８に略直角に連結される固定部１９とから構成される。固定部１９には、レンズブロック１２に形成された位置決め用の嵌合用穴２４が形成される。本実施の形態では、光遮蔽板１８及び固定部１９は約０．０２ｍｍの厚さに形成した。
【００３８】
本実施の形態では、互いに隣接するマイクロレンズ１１は一部重なり合って形成される。そのため、光遮蔽板１８の内側（マイクロレンズ１１側）２５は、互いに隣接する凸レンズ部１４ａ，１４ｂが重なり合って形成される境界に当接する輪郭に形成される。また、光遮蔽板１８には、光を吸収する光吸収剤を塗布してもよい。光吸収剤としては、ツヤ消し黒色塗料等が挙げられる。また、光遮蔽板１８の表面に、微小な凹凸をプレス成形によって多数形成し（表面をザラザラに形成し）、光源出射光が微小な凹凸によって乱反射するようにしてもよい。
【００３９】
図５に示すように、光遮蔽板１８は、一枚の板材（例えば、金属板）を略直角に折り曲げて形成される。金属板をプレス成形することにより、光遮蔽板１８と固定部１９とが曲げしろ２６で折り曲げられ、一方を光遮蔽板１８、他方を固定部１９に形成した光遮蔽部材２０が得られる。
【００４０】
光遮蔽部材２０は、支持溝２１、２２に光遮蔽板１８の上下を嵌合して、隣接する凸レンズ部１４ａ，１４ｂ間に光遮蔽板１８が支持されると共に、固定部１９の嵌合用穴２４に嵌合用突起２３を嵌合してレンズブロック１２に固定される。
【００４１】
図６に示すように、光モジュールにおいて、レンズ部品１０は、複数のＬＤ３１（光源）を有するＬＤアレイ３２と、各ＬＤ３１からの出射光をそれぞれ伝送する複数の光ファイバ（光伝送部品）３３との間に介設される。その際、レンズ部品１０は、光遮蔽板１８が設けられた側がＬＤアレイ３２に対向して配置される。なお、図中、凸レンズ部１４ａと１４ｂ間，１５ａと１５ｂ間の２７はレンズ胴体部である。
【００４２】
本実施の形態の作用について説明する。
【００４３】
各ＬＤ３１から出射した光は、それぞれ光源側の凸レンズ部１４ａ，１４ｂでコリメートされ、そのコリメートされた光は光ファイバ側の凸レンズ部１５ａ，１５ｂで光ファイバ３３の端面に集光され、各光ファイバ３３に結合される。
【００４４】
本実施の形態のレンズ部品１０は、互いに隣接するマイクロレンズ１１間の光源側に光遮蔽板１８を設けているので、一方の光源出射光は、その光源に対応したマイクロレンズ１１に入射する際、他方のマイクロレンズに漏れて入射することがない。したがって、ＬＤ３１が高密度に配置された光モジュールにレンズ部品１０を搭載しても、２つの光源からそれぞれ出射した光がマイクロレンズ１１内で干渉することなく、それぞれ対応した光ファイバ３３に結合させることができる。すなわち、光信号のクロストークを低減することができる。
【００４５】
本実施の形態のレンズ部品１０は、レンズブロック１２とマイクロレンズ１１とが金型成形で一体に形成されるので、マイクロレンズ１１に対する支持溝２１，２２及び嵌合用突起２３の位置精度を高くして形成することができる。また、光遮蔽部材２０は、プレス成形により形成されるので、光遮蔽板１８に対する嵌合用穴２４の位置精度を高くして形成することができる。したがって、光遮蔽部２０の嵌合用穴２４とレンズブロック１２の嵌合用突起２３とを嵌合させて光遮蔽板１８を取り付けることで、光遮蔽板１８をマイクロレンズ１１間に正確な位置精度で容易に固定することができる。
【００４６】
本実施の形態では、互いに隣接する２つのマイクロレンズ１１を、一部重なり合うように連ねて形成したが、互いに隣接するマイクロレンズは、互いに接して、或いは互いに離れて（近接して）形成してもよい。このとき、光遮蔽板１８の内側の輪郭２５は、他の光源から入射する光を遮断するべく直線状に形成されるのが好ましい。
【００４７】
また、光遮蔽板１８に光吸収剤を塗布することで、光遮蔽板１８の反射率を低減し、光遮蔽板１８に当たった光が反射してマイクロレンズ１１内に入射するのを抑えることができる。
【００４８】
次に、第２の実施の形態について図７〜図１１に基づき説明する。
【００４９】
図７〜図９に示すように、本実施の形態のレンズ部品４０は、並列に配置された４つのマイクロレンズ４２と、レンズブロック４１と、複数の光遮蔽板４５を有する光遮蔽アセンブリ４４とを備える。
【００５０】
本実施の形態では、凸レンズ部４３は、レンズブロック４１の光源側の面上に形成されて、マイクロレンズ４２を構成する。また、レンズブロック４１の両側面には、光遮蔽アセンブリ４４を固定するための嵌合用突起４９が形成される。
【００５１】
光遮蔽アセンブリ４４は、隣接する凸レンズ部４３間にそれぞれ設けられる複数の光遮蔽板４５（図では３つ）と、複数の光遮蔽板４５を連結する連結部４６（図では４つ）と、光遮蔽アセンブリ４４をレンズブロック４１に固定するための固定部４７（図では２つ）とを有する。
【００５２】
光遮蔽アセンブリ４４は、連結部４６が光遮蔽板４５に上下交互に連結されて、断面（正面視）矩形波状に形成される。光遮蔽アセンブリ４４の両側では、連結部４６を介して固定部４７が連結される。光遮蔽アセンブリ４４は、固定部４７より光遮蔽板４５が光源側に位置する構造、すなわち、レンズブロック４１に固定する際、光遮蔽板４５及び連結部４６が凸レンズ部４３に位置し、両固定部４７がレンズブロック４１の側面に位置する構造とする。そのため、光遮蔽アセンブリ４４の両固定部間距離と、レンズブロック４１の幅は等しく形成される。固定部４７には、前実施の形態の固定部１９と同様に、嵌合用穴４８が形成される。
【００５３】
図１０に示すように、光遮蔽アセンブリ４４は、一枚の金属板から形成される。各光遮蔽板４５の長さ及び連結部４６の長さ（図中矢印方向）は、互いに隣接する凸レンズ部４３間に挟めるように長さが調整される。さらに、各光遮蔽板４５と連結部４６との間、及び固定部４７と連結部４６との間にはそれぞれ曲げしろ５１が設けられる。この一枚の金属板をプレス成形により、各曲げしろ５１で略直角に曲げ、光遮蔽アセンブリ４４が得られる。
【００５４】
光遮蔽アセンブリ４４は、嵌合用突起４９が嵌合用穴４８に嵌合されて、レンズブロック４１に位置決め固定される。
【００５５】
図１１に示すように、本実施の形態のレンズ部品４０は、互いに隣接するマイクロレンズ４２の凸レンズ部４３間にそれぞれ光遮蔽板４５が設けられるので、各ＬＤ出射光は、それぞれ対応したマイクロレンズ４２にのみ入射する。したがって、前実施の形態と同様に、レンズ部品４０は、ＬＤ３１が高密度に配置された光モジュールに実装しても、光信号のクロストークを抑制することができる。
【００５６】
次に、好適な第３の実施の形態を図１２、図１３に基づいて説明する。
【００５７】
本実施の形態のレンズ部品は、レンズブロックに、図１２に示される光遮蔽板を取り付けてなるものである。
【００５８】
本実施の形態のレンズ部品が備えるレンズブロックは、図８に示されるレンズブロック４１と基本的に同じである。
【００５９】
図１２に示すように、光遮蔽板６１は、一枚の板材をプレス成形して形成され、平面視コ字状に形成され、各々マイクロレンズ４２に入射させる光源出射光を縮径する絞り穴６２が形成されたマスク部６３と、マスク部６３の両端に形成され、光遮蔽アセンブリ６１をレンズブロック４１に固定するための固定部６４とを有する。固定部６４は、図９の光遮蔽アセンブリ４４と同様に、レンズブロック４１に形成される嵌合用突起４９に嵌合する嵌合穴６５が形成される。
【００６０】
図１４に示すように、本実施の形態のレンズ部品６０は、ＬＤアレイ３２に対向して、かつ、光源側の凸レンズ部４３とＬＤアレイ３２との間に、各絞り穴６２が各凸レンズ部４３に対応して配置される。この際、レンズ部品６０は、マイクロレンズ４２の径と、絞り穴６２の径と、マイクロレンズ４２と絞り穴６２間の距離とを考慮して設計され、光モジュールに実装される。
【００６１】
例えば、光遮蔽マスク６１がマイクロレンズ４２から遠すぎると、絞り穴６２を出射した光が再び拡径する距離を付与することになり、隣接するマイクロレンズ４２に光が漏れる。また、絞り穴６２の径が大きすぎると、マイクロレンズ４２に到達する光はビーム径が大きくなりすぎ、隣接するマイクロレンズ４２に光が漏れる。逆に、絞り穴６２の径が小さすぎると、絞り穴６２を通るＬＤ出射光の強度が小さくなってしまう。
【００６２】
本実施の形態のレンズ部品６０は、ＬＤ３１とマイクロレンズ４２との間に、ＬＤ出射光をマイクロレンズ４２の径内に収める程度の絞り穴６２が形成された光遮蔽板６１を設けているので、ビーム径を拡径しながらマイクロレンズ６２に向かう各ＬＤ出射光が、光遮蔽板６１のマスク部６３において絞り穴６２のみ通って伝搬する。したがって、各ＬＤ出射光は、ビーム径をレンズ径以上に大きくすることなく、ＬＤ３１に対応したマイクロレンズ４２のみに入射する。
【００６３】
本実施の形態のレンズ部品６０によれば、各ＬＤ３１及びマイクロレンズ４２を密に配置しても、一つのＬＤから出射する光が他のＬＤ３１に対応するマイクロレンズ４２に入射することなく、光信号のクロストークを低減することができる。
【００６４】
本実施の形態では光遮蔽板６１を薄い（０．０２ｍｍ程度）板材で形成したが、光遮蔽板６１は、これより厚い板材で形成してもよい。光遮蔽板６１の最大厚さは、光源側の凸レンズ部４３と光源３１との間の長さ（図１３中、ｄ）までとする。
【００６５】
さらに、第１の実施形態の光遮蔽板１８或いは第２の実施形態の光遮蔽アセンブリ４４と、第３の実施の形態の光遮蔽板６１とを併用したレンズ部品を形成しても、第１〜第３の実施形態のレンズ部品と同等以上の効果が得られる。
【図面の簡単な説明】
【００６６】
【図１】本発明に係る好適な第１の実施形態のレンズ部品を示す前方斜視図である。
【図２】図１のレンズ部品の後方斜視図である。
【図３】レンズブロックを示す斜視図である。
【図４】光遮蔽板を示す斜視図である。
【図５】図４の光遮蔽板の展開図である。
【図６】図１のレンズ部品の作用を説明する概略図である。
【図７】好適な第２の実施形態のレンズ部品を示す正面図である。
【図８】図７のレンズ部品を示す斜視図である。
【図９】図７のレンズ部品の光遮蔽アセンブリを示す斜視図である。
【図１０】図９の光遮蔽アセンブリの展開図である。
【図１１】図８のレンズ部品の作用を説明する概略図である。
【図１２】好適な第３の実施形態のレンズ部品の備える光遮蔽板を示す斜視図である。
【図１３】第３の実施形態の作用を説明する概略図である。
【図１４】従来の光モジュールを示す概略図である。
【符号の説明】
【００６７】
１０  光モジュール
１１  マイクロレンズ
１２  レンズブロック
１４ａ，１４ｂ，１５ａ，１５ｂ  凸レンズ部
１８  光遮蔽板
１９  固定部
２１，２２  支持溝
２３  嵌合用突起
２４  嵌合用穴
３１  光源（ＬＤ）
【図１】
2007298886.tif 000003
【図２】
2007298886.tif 000004
【図３】
2007298886.tif 000005
【図４】
2007298886.tif 000006
【図５】
2007298886.tif 000007
【図６】
2007298886.tif 000008
【図７】
2007298886.tif 000009
【図８】
2007298886.tif 000010
【図９】
2007298886.tif 000011
【図１０】
2007298886.tif 000012
【図１１】
2007298886.tif 000013
【図１２】
2007298886.tif 000014
【図１３】
2007298886.tif 000015
【図１４】
2007298886.tif 000016